(57)【特許請求の範囲】
【請求項１】
曲線移動し、水供給源が連結された水供給ホースを含むノズル部と、
前記ノズル部の伸長長さを調節するように回転駆動する巻取部材を備え、前記ノズル部を曲線移動させる駆動部と、
を含み、
前記ノズル部の伸長長さは多段階に調節され、
いずれか一つの段階から隣接する上位段階に前記ノズル部の伸長長さを変更させるために前記巻取部材が回転する引出回転角度は各段階別に異なり、
前記引出回転角度は上位段階になるほど小さくなり、
前記引出回転角度の減少量は上位段階になるほど減少する、ビデ用ノズルアセンブリ。
【請求項２】
前記ノズル部は内部に中空が形成された曲線状のシリンダ部材を含み、
前記水供給ホースは前記中空に配置される、請求項１に記載のビデ用ノズルアセンブリ。
【請求項３】
前記ノズル部は、前記ノズル部の形状と対応する移動ガイド部材の上部に装着されて、曲線移動する、請求項１に記載のビデ用ノズルアセンブリ。
【請求項４】
前記移動ガイド部材は、曲線形状を有する、請求項３に記載のビデ用ノズルアセンブリ。
【請求項５】
前記ノズル部の伸長長さは、下位段階から上位段階に行くにしたがって長くなる、請求項１に記載のビデ用ノズルアセンブリ。
【請求項６】
前記隣接する上位段階から前記いずれか一つの段階に前記ノズル部の伸長長さを変更させるために前記巻取部材が回転する引込回転角度は、前記引出回転角度と方向が逆で値が同一である、請求項１に記載のビデ用ノズルアセンブリ。
【請求項７】
前記駆動部は、
一側が前記ノズル部に固定結合され、他側が前記巻取部材に連結される連結部材と、
前記巻取部材に連結されて前記巻取部材に回転力を提供する駆動モータと
をさらに含む、請求項１から６のいずれか一項に記載のビデ用ノズルアセンブリ。
【請求項８】
前記連結部材は、前記ノズル部の下端に一側が固定結合されたベルトギアとして提供される、請求項７に記載のビデ用ノズルアセンブリ。
【発明の詳細な説明】
【技術分野】
【０００１】
本発明は、ビデ用ノズルアセンブリに関し、より詳細には、ノズルの噴射位置を一定の間隔に調節可能であり、曲線移動をするように構成されたノズルが備えられたビデ用ノズルアセンブリに関する。
【背景技術】
【０００２】
ビデ用ノズルアセンブリは、便器と一体のビデの場合にはビデ部に装着され、従来型の便器と分離した便座ビデの場合にはビデ本体に装着されており、ユーザーの局部に水を噴射して洗浄するノズルが移動可能に備えられる。
【０００３】
ビデ用ノズルアセンブリに備えられたノズルは、待機状態（使用していないとき）ではノズルハウジングの内部に位置しており、ユーザーが用を足した後にビデを作動させると、噴射位置に移動して外部領域を洗浄する。
【０００４】
ノズルに関連する従来の技術は、ビデ用ノズルアセンブリにおいて傾斜させた状態で直線移動するものであった。また、ノズルアセンブリに関連する従来の技術は、ステンレススチール（Ｓｔａｉｎｌｅｓｓ  Ｓｔｅｅｌ）などの材質で形成されたノズルシリンダの内部に水供給流路となる射出成形品が組み付けられており、水供給流路と連結された水供給ホースが連結具を用いて後端と連結されていた。
【０００５】
このように、ノズルが斜めに直線移動するようにビデ用ノズルアセンブリに備えられているので、便器と一体のビデの場合には、ビデ用ノズルアセンブリが装着されるビデ部に、また、従来型の便器と分離した便座ビデの場合には、ビデ用ノズルアセンブリが装着されるビデ本体に、ノズルの移動のための比較的大きな空間が必要であるという問題があった。
【０００６】
このため、例えば、便器と一体のビデの場合には、便器のボール部に深い溝を形成されなければならなかったり、ビデが設置される部分の高さを高くしなければならないという問題が、また、従来型の便器と分離した便座ビデの場合には、ビデの主本体の高さを高くしなければならないという問題があった。
【０００７】
上記のような問題を解決するために、本出願人は、特許文献１において、曲線移動をするようにノズルが備えられたビデ用ノズルアセンブリを提案したことがある。
【先行技術文献】
【特許文献】
【０００８】
【特許文献１】韓国特許出願第１０−２０１０−００１８１６５号
【発明の概要】
【発明が解決しようとする課題】
【０００９】
しかしながら、図１に示されるように、直線移動をするノズルが備えられたビデ用ノズルアセンブリ１０に関連する従来の技術にあっては、ノズル１１の移動のために備えられる巻取部材１２をノズル１１の移動と同一の回転角度で回転させると、ノズル１１から噴射される水の噴射位置の間隔Ａを同一に調節することができる。これに対して、図２に示されるように、曲線移動をするようにノズルが備えられたビデ用ノズルアセンブリ２０は、巻取部材２２を同一の回転角度で回転させると、ノズル２１から噴射される水の噴射位置を同じ間隔Ｂ、Ｂ’、Ｂ’’、Ｂ’’’に調節することができないという問題があった。
【００１０】
本発明の目的は、上記のような問題を解消するために提案されたものであり、いずれか一つの段階から隣接する上位段階にノズルの伸長長さを変更させるために巻取部材が回転する角度を各段階別に異ならせるようにして、水の噴射位置の間隔を同一に調節することができるビデ用ノズルアセンブリを提供することにある。
【課題を解決するための手段】
【００１１】
本発明によるビデ用ノズルアセンブリは、曲線移動し、水供給源が連結された水供給ホースを含むノズル部と、ノズル部の伸長長さが調節されるように回転駆動する巻取部材を備え、ノズル部が曲線移動するようにする駆動部とを含み、ノズル部の伸長長さは多段階に調節され、いずれか一つの段階から隣接する上位段階にノズル部の伸長長さを変更させるために巻取部材が回転する引出回転角度は各段階別に異ならせ、引出回転角度は、上位段階になるほど小さくすることができ、引出回転角度の減少量は上位段階になるほど減少させることができる。
【００１２】
本発明によるビデ用ノズルアセンブリにおいて、ノズル部は、内部に中空が形成された曲線状のシリンダ部材を含み、水供給ホースは中空に配置されることができる。
【００１３】
本発明によるビデ用ノズルアセンブリにおいて、ノズル部は、ノズル部の形状と対応する移動ガイド部材の上部に装着されて、曲線移動することができる。
【００１４】
本発明によるビデ用ノズルアセンブリにおいて、移動ガイド部材は、曲線状を有することができる。
【００１５】
本発明によるビデ用ノズルアセンブリにおいて、ノズル部の伸長長さは、下位段階から上位段階に行くにしたがって長くなるようにすることができる。
【００１６】
本発明によるビデ用ノズルアセンブリにおいて、隣接する上位段階からいずれか一つの段階にノズル部の伸長長さを変更させるために巻取部材が回転する引込回転角度は、引出回転角度と方向が逆で値が同一であればよい。
【００１９】
本発明によるビデ用ノズルアセンブリにおいて、駆動部は、一側がノズル部に固定結合され、他側が巻取部材に連結される連結部材と、巻取部材に連結されて巻取部材に回転力を提供する駆動モータと、をさらに含むことができる。
【００２０】
本発明によるビデ用ノズルアセンブリにおいて、連結部材は、コネクタ部材の下端に一側が固定結合されたベルトギアとして提供されることができる。
【発明の効果】
【００２１】
本発明によれば、いずれか一つの段階から隣接する上位段階にノズルの伸長長さを変更させるために巻取部材が回転する角度を各段階別に異ならせることにより、水の噴射位置の間隔を同一に調節することができる。
【図面の簡単な説明】
【００２２】
【図１】従来の直線移動するビデ用ノズルアセンブリのノズルの伸長長さの調節方法を説明するための概念図である。
【図２】従来の曲線移動するビデ用ノズルアセンブリのノズルの伸長長さの調節方法を説明するための概念図である。
【図３】本発明の実施の一形態によるビデ用ノズルアセンブリを示す斜視図である。
【図４】図３に示されているビデ用ノズルアセンブリのノズル部が元の位置にある場合の側面図である。
【図５】図４のビデ用ノズルアセンブリの側断面図である。
【図６】図４のＸ−Ｘ’線に沿った断面図である。
【図７】図３に示されているビデ用ノズルアセンブリのノズル部が引き出された状態を示す斜視図である。
【図８】本発明の実施の一形態によるノズル部の伸長長さの調節方法を説明するための概念図である。
【発明を実施するための形態】
【００２３】
以下に、図面を参照しながら本発明の実施の形態を詳細に説明する。しかしながら、本発明は、この実施の形態や、本発明の技術的思想を理解する当業者が、本発明の範囲内の他の実施の形態、また、他の構成要素を追加、変更、削除するなどして容易に想到することができる他の退歩的な発明に限定されることはなく、これらの実施の形態も本発明の範囲に含まれる。
に含まれる。
【００２４】
また、この実施の形態では同様の構成要素に同様の参照符号を付して、本発明の範囲を説明する。
【００２５】
図３は、本発明の一実施例によるビデ用ノズルアセンブリ１００を示す斜視図であり、図４は、図３に示されているビデ用ノズルアセンブリ１００のノズル部が元の位置にある場合の側面図であり、図５は、図４のビデ用ノズルアセンブリの側断面図であり、図６は、図４のＸ−Ｘ’線に沿った断面図であり、図７は、図３に示されているビデ用ノズルアセンブリのノズル部が引き出された状態を示す斜視図である。
【００２６】
本発明の実施の一形態におけるビデ用ノズルアセンブリ１００は、ノズル部１３０が曲線移動して、当該ビデ用ノズルアセンブリ１００がビデ本体の中で占める空間を縮小させるように構成されている。
【００２７】
図３〜図７を参照すると、本発明の実施の一形態におけるビデ用ノズルアセンブリ１００は、移動ガイド部材１１０、ノズル部１３０、及び駆動部１５０を含むことができる。
【００２８】
上記移動ガイド部材１１０は、ノズル部１３０と対応する形状を備えることができ、好ましくは、曲線状を有している。これにより、後述するように、移動ガイド部材１１０に沿って曲線移動するようにノズル部１３０を案内することができる。
【００２９】
ノズル部１３０は、移動ガイド部材１１０に沿って曲線移動するもので、水供給源（図示せず）に連結された水供給ホース１３３が内部に装着されたシリンダ部材１３１を含むことができる。
【００３０】
即ち、図に示した実施の形態のように、ノズル部１３０は、移動ガイド部材１１０部に装着され、移動ガイド部材１１０に沿って前後方向に移動可能に取り付けられることができる。ここで、移動ガイド部材１１０が曲線状に成形されているので、ノズル部１３０は前後方向に曲線移動することができる。
【００３１】
ここで、移動ガイド部材１１０が曲線状を有していない場合でも、ノズル部１３０を曲線状に成形してノズル部１３０を曲線移動させることもできる。
【００３２】
一方、シリンダ部材１３１は、一般にステンレススチール（Ｓｔａｉｎｌｅｓｓ  Ｓｔｅｅｌ）材質を用いて形成することができるが、シリンダ部材１３１の材質はこれに限定されることはなく、多様な材質に変更することができる。
【００３３】
また、ノズル部１３０は、内部に中空が形成されたシリンダ部材１３１と、シリンダ部材１３１の内部に配置される水供給ホース１３３とを含むことができる。水供給ホース１３３は、水供給源に連結することができ、ノズル部１３０に洗浄水を供給することができる。
【００３４】
ここで、水供給ホース１３３は、柔軟性を有する管により形成されることができ、例えば、ゴムホース、布ホース、又はシリコンホースなどの合成樹脂管により形成されることができる。しかしながら、水供給ホース１３３は、これらの材質に限定されることはなく、多様に変更することができる。
【００３５】
一方、駆動部１５０は、ノズル部１３０に連結されており、ノズル部１３０を移動ガイド部材１１０に沿って移動させるための動力を提供することができる。
【００３６】
ここで、駆動部１５０の構造や種類は特に限定されることはなく、ノズル部１３０を移動ガイド部材１１０に沿って前後方向に移動させることができるものであれば、多様な駆動部の形態を適用することができる。
【００３７】
このように、本発明の実施の一形態によるビデ用ノズルアセンブリ１００は、移動ガイド部材１１０を曲線状に成形したり、ノズル部１３０が曲線形状を備えることにより、ノズル部１３０が曲線移動でき、したがって、小さな空間内でもノズル部１３０が移動できる。そのため、便器と一体のビデの場合には、便器部に浅い溝を形成してその中にビデ部を装着することができ、また、従来型の便座ビデの場合には、ビデ本体の高さを低減させることができる。
【００３８】
ノズル部１３０のシリンダ部材１３１は、移動ガイド部材１１０と対応する曲線形状を有することができる。
【００３９】
このように、ノズル部１３０が移動ガイド部材１１０と対応する曲線形状を有すると、ノズル部１３０が移動ガイド部材１１０に沿って円滑に曲線移動することができる。また、ノズル部１３０が曲線状に形成されているので、ビデ部の占める面積を減少させることができる。
【００４０】
しかしながら、シリンダ部材１３１の形状は、図示した実施の形態に限定されることはなく、ノズル部１３０が曲線移動できる形状であれば多様な形状に変更することができる。
【００４１】
一方、水供給ホース１３３は、柔軟な材質で形成されているので、曲線状のシリンダ部材１３１の内部に、このシリンダ部材１３１の形状に応じて容易に変形させて装着することができる。
【００４２】
したがって、シリンダ部材１３１を曲線移させるために曲線形状に成形した場合にも、洗浄水が供給される流路を容易に製作することができる。
【００４３】
一方、図５及び図７に示したように、ノズル部１３０は、シリンダ部材１３１の前端に連結されるノズルチップ１３５と、噴射孔１３５ａと連通されるようにノズルチップ１３５に連結され、水供給ホース１３３の一端が挿入結合されるようにシリンダ部材１３１の内部に挿入される連結具１３６とを含むことができる。
【００４４】
即ち、ノズルチップ１３５は、シリンダ部材１３１の前端に設けられて、ユーザーの局部に洗浄水を供給する。上記ノズルチップ１３５には連結具１３６（後述する）と連通するように噴射孔１３５ａを形成されることができ、噴射孔１３５ａは連結具１３６を介して供給される洗浄水を噴射することができる。ここで、ノズルチップ１３５は、シリンダ部材１３１に着脱可能に連結することができる。
【００４５】
連結具１３６は、噴射孔１３５ａと連通するようにノズルチップ１３５に連結することができ、また、シリンダ部材１３１の内部に挿入することができる。連結具１３６は、水供給ホース１３３の一端に挿入結合することができる。これにより、連結具１３６は、水供給管と連結された水供給ホース１３３と連通することができ、水供給管から供給された洗浄水は、噴射孔１３５ａに流動することができる。
【００４６】
このように、本発明の実施の一形態一実施例によれば、水供給ホース１３３と連結される連結具１３６をシリンダ部材１３１の前端に設けることができ、また、水供給ホース１３３をシリンダ部材１３１の内部に連結することができる。
【００４７】
一方、連結具１３６を複数個で構成することができ、また、シリンダ部材１３１の内部に複数個の水供給ホース１３３を設けて複数の流路を形成することができる。
【００４８】
即ち、本発明のノズル部１３０は、シリンダ部材１３１の内部に洗浄水流路を形成するにあたり、プラスチックの射出成型品などではなく、水供給源と連結された水供給ホース１３３を直接シリンダ部材１３１の内部に装着して洗浄水流路を形成しているので、曲線状に成形されたシリンダ部材１３１の内部に水供給ホース１３３を容易に装着することができ、また、シリンダ部材１３１の内部に複数個のシリンダ部材１３１を容易に装着することができる。
【００４９】
このように、複数の水供給ホース１３３によって、シリンダ部材１３１の内部に複数の洗浄水流路が形成されているので、ノズル部１３０は多様な水流を形成することができる。
即ち、多数の洗浄水流路が形成されることにより、それぞれの連結孔や、この連結孔のそれぞれに連結される水供給ホース１３３の大きさ、及び水供給ホース１３３に供給される水の流速に応じて、ワイド水流や、直線水流、またはノズル掃除用の水流を形成することができる。
【００５０】
ノズル部１３０は、コネクタ部材１３７を含むことができる。コネクタ部材１３７は、シリンダ部材１３１の他端に結合されて水供給ホース１３３に流動することができる貫通口部材１３７ｂを有しており、水供給ホース１３３を固定するものである。
【００５１】
即ち、図５〜図７に示したように、コネクタ部材１３７は、貫通孔部１３７ｂを備えており、シリンダ部材１３１の他端に挿入結合することができる。ここで、貫通孔部１３７ｂは、そのなかに水供給ホース１３３を通すと、水供給ホース１３を固定する役割を果たすことができる。
【００５２】
また、コネクタ部材１３７は、移動ガイド部材１１０のガイド溝１１１に挿入されるように形成され、シリンダ部材１３１の離脱を防止し、シリンダ部材１３１の移動を案内するガイド突起１３７ｃを含むことができる。
【００５３】
移動ガイド部材１１０において、ガイド溝１１１は、ノズル部１３０が移動する方向に形成することができ、また、実施の形態を図示したように、ガイド溝１１１は複数で形成することができる。コネクタ部材１３７のガイド突起１３７ｃは、ガイド溝１１１と対応する位置に挿入可能に設けて、シリンダ部材１３１が前後方向に移動するときに、そのシリンダ部材１３１のスライディング移動を案内すると共に、移動ガイド部材１１０からシリンダ部材１３１が離脱するのを防止することができる。
【００５４】
しかしながら、ガイド突起１３７ｃとガイド溝１１１の構成と個数は、図に示した場合に限定されることはなく、多様に変更することができる。
【００５５】
一方、本発明の実施の一形態によるビデ用ノズルアセンブリ１００は、移動ガイド部材１１０の前端に固定設置されてノズル部１３０を保護し、ノズル部１３０を通してノズル部１３０の移動を案内することができるノズルダクト部１７０をさらに含むことができる。
【００５６】
即ち、ノズルダクト部１７０は、移動ガイド部材１１０の前端に固定設置されるもので、そのなかにシリンダ部材１３１が通る貫通孔を含んでいる。これにより、図３〜図５に示されているように、ノズル部１３０が元の位置にあるときには、ノズルチップ１３５を覆ってノズルチップ１３５を保護することができ、図７に示されるように、ノズル部１３０が引き出されるときには、ノズル部１３０のスライディング移動をガイドすることができる。
【００５７】
また、ノズルダクト部１７０は、移動ガイド部材１１０の前端に固定設置され、シリンダ部材１３１の他端に連結されたコネクタ部材１３７がひっかかることによりシリンダ部材１３１の移動を制限するストッパーの役割を果たすことができる。
【００５８】
ノズルダクト部１７０は、ノズル部１３０が元の位置にあるとき、ノズル部１３０に備えられたノズルチップ１３５に洗浄水を供給する洗浄水流入口１７２を有する自己洗浄部材１７１を含むことができる。
【００５９】
即ち、ノズル部１３０が元の位置にあるとき、洗浄水流入口１７２はノズルチップ１３５の上部と連通するように連結し、洗浄水流入口１７２を水供給源に連結するることができる。これにより、自己洗浄部材１７１は、ノズルチップ１３５から汚物を除去することができる。
【００６０】
駆動部１５０は、一側がノズル部１３０に固定結合された連結部材１５１と、連結部材１５１の他側に連結され、回転によって連結部材１５１を巻き取らせるか引き出させる巻取部材１５３と、巻取部材１５３に連結されて巻取部材１５３に回転力を提供する駆動モータ１５５とを含むことができる。
【００６１】
ここで、連結部材１５１は、コネクタ部材１３７の下端に一側が固定結合されたベルトギア１５１とすることができる。以下では、説明の便宜上、連結部材とベルトギアに対して同一の参照符合１５１で示す。
【００６２】
ベルトギア１５１の一端に形成された装着突起１５１ａは、コネクタ部材１３７の下部に貫通形成された挿入口１３７ｂに挿入装着されており、ベルトギア１５１の一端とコネクタ部材１３７とを固定結合することができる。
【００６３】
ベルトギア１５１として提供される連結部材１５１の他側は、巻取部材１５３に巻き取ることができる。巻取部材１５３は、平歯車１５４を含むことができ、平歯車１５４とベルトギア１５１は、互いに噛合することができる。
【００６４】
平歯車１５４は、駆動モータ１５５と連結することができ、駆動モータ１５５の作動によって正回転又は逆回転してベルトギア１５１を巻き取らせるか引き出させることができ、ベルトギア１５１が巻き取られるか引き出されることによりノズル部１３０の伸長長さを調節することができる。
【００６５】
図８は、本発明の実施の一形態によるノズル部１３０の伸長長さの調節方法を説明するための概念図である。
【００６６】
本発明の実施の一形態によるビデ用ノズルアセンブリ１００は、ノズル部１３０の伸長長さを下位段階から上位段階に行くほど長くなるように多段階に調節することができ、図８では、一例として、１段〜４段の４段階にノズル部１３０の伸長長さを調節することを示している。
【００６７】
図８を参照すると、１段から２段にノズル部１３０の伸長長さを変更させるために巻取部材１５３が回転する第１の引出回転角度ａと、２段から３段にノズル部１３０の伸長長さを変更させるための第２の引出回転角度ｂと、３段から４段にノズル部１３０の伸長長さを変更させるための第３の引出回転角度ｃが異なればよい。即ち、いずれか一つの段階から隣接する上位段階にノズル部１３０の伸長長さを変更させるために巻取部材１５３を回転させるそれぞれの引出回転角度ａ、ｂ、ｃが各段階別に異なればよい。
【００６８】
一方、２段から１段にノズル部１３０の伸長長さを変更させるための第１の引込回転角度ａ’、３段から２段にノズル部１３０の伸長長さを変更させるための第２の引込回転角度ｂ’、及び４段から３段にノズル部１３０の伸長長さを変更させるための第３の引込回転角度ｃ’はそれぞれ、上記第１の引出回転角度ａ、第２の引出回転角度ｂ及び第３の引出回転角度ｃと方向が逆で値が同一であればよい。
【００６９】
逆に、第１の引出回転角度ａは第２の引出回転角度ｂより大きく、第２の引出回転角度ｂは第３の引出回転角度ｃより大きければよい。即ち、上位段階であるほど引出回転角度は小さければよい。
【００７０】
さらに、第１の引出回転角度ａと第２の引出回転角度ｂとの差は、第２の引出回転角度ｂと第３の引出回転角度ｃとの差より大きければよい。即ち、引出回転角度の減少量は上位段階に行くほど減少させることができる。
【００７１】
これにより、各段階別のノズルの噴射位置間の間隔ａ’’、ｂ’’、ｃ’’を一定にすることができる。
【図１】
0006505709.tif 000002
【図２】
0006505709.tif 000003
【図３】
0006505709.tif 000004
【図４】
0006505709.tif 000005
【図５】
0006505709.tif 000006
【図６】
0006505709.tif 000007
【図７】
0006505709.tif 000008
【図８】
0006505709.tif 000009